(57)【要約】      （修正有）【課題】特に床に敷いて、犬や猫などのペットを座らせたり、寝かせたりすることができると共に、折り畳んで他の形状に変化させることにより、多彩な機能を発揮できる多用途ペットマットを提供する。【解決手段】それぞれが隣接する複数の片部１２、１３、１４、１６を含み、隣り合う２つの片部と隣接する箇所が湾曲可能である、本体と、前記本体の輪郭に沿って取り付けられるエレメント及び、該エレメントに噛み合わされる少なくとも１つのスライダーを備える、ジッパー仕組みと、前記本体に設置される、少なくとも１つの持ち手３０を有することを特徴とする。【選択図】図１
0003212956.tif 000002
【実用新案登録請求の範囲】
【請求項１】
それぞれが隣接する複数の片部を含み、隣り合う２つの片部と隣接する箇所が湾曲可能である、本体と、
前記本体の輪郭に沿って取り付けられるエレメント及び、該エレメントに噛み合わされる少なくとも１つのスライダーを備える、ジッパー仕組みと、
前記本体に設置される、少なくとも１つの持ち手を有することを特徴とする多用途ペットマット。
【請求項２】
前記本体は、Ｔ字形の輪郭を有し、第一片部と、第二片部と、第三片部と、第四片部と、第五片部と、第六片部と、第七片部を含み、そのうち、第一片部は、矩形を呈し、該第二片部は、長矩形を呈し、第一片部の一側に隣接し、該第三片部は、第二片部の輪郭と同一の長矩形を呈し、該第二片部における、第一片部と反対する側に隣接し、該第四片部は、第一片部の輪郭と同一の矩形を呈し、第三片部における、第二片部と反対する側に隣接し、該第五片部は、矩形の輪郭を有し、第一片部における、第二片部と反対する側に隣接し、その幅は第一片部の幅よりも小さく、該第六片部及び第七片部は、同一の輪郭を備えるように、それぞれ第五片部の両側に延設されることを特徴とする請求項１に記載の多用途ペットマット。
【請求項３】
前記第一片部の一面に表面が形成され、該表面に持ち手が設置されると共に、前記第四片部の一面に表面が形成され、該表面に持ち手が設置されることを特徴とする請求項２に記載の多用途ペットマット。
【請求項４】
前記第一片部にある持ち手は、それぞれの末端が第五片部の側縁と接するように、第一片部に重なる２つの結合端部を備え、
前記第四片部にある持ち手は、それぞれの末端が第三片部と反対する側縁と接するように、第四片部に重なる２つの結合端部を備えることを特徴とする請求項３に記載の多用途ペットマット。
【請求項５】
さらに、２つの磁性バックルを有し、該２つの磁性バックルはそれぞれ、オス部材及びメス部材を備え、そのうち、２つのオス部材は、第四片部の表面における、第三片部と反対する側且つ２つの隅角の近傍に設置され、２つのメス部材は、第一片部の表面における、第五片部と接近する側且つ２つの隅角の近傍に設置されることを特徴とする請求項２乃至４の何れか１項に記載の多用途ペットマット。
【請求項６】
さらに、前記第一片部の表面及び第四片部の表面にそれぞれ、ポケットが設置されることを特徴とする請求項２乃至５の何れか１項に記載の多用途ペットマット。
【請求項７】
前記第一片部にあるポケットは、第二片部に向かって開口が形成され、
前記第四片部にあるポケットは、第三片部に向かって開口が形成されることを特徴とする請求項６に記載の多用途ペットマット。
【考案の詳細な説明】
【技術分野】
【０００１】
本発明は、特に床に敷いて犬や猫などのペットが座る時や寝る時に使用したり、折り畳んで他の形状にして使用することもできる、複数機能を備えた多用途ペットマットに関するものである。
【背景技術】
【０００２】
近年、犬や猫などのペットを飼う人が増えていることから、様々なペット用品が開発されている。そのうち、床に敷いて使用するペット用マットは、ペットを連れて出かけた時、ペットを座らせたり、寝かせたりすることができることから、ペットが地面と接触しないので、ペットを清潔に保つことができると共に、ノミやダニなどの外部寄生虫のペットへの寄生も予防でき、更に、ペットマットは、冬は暖かく夏は涼しいので、ペットの体温を適切に調節できる。
【０００３】
現在では、製品改良が進んでいるので、従来のペットマットには、床に敷いて座れる機能だけでなく、様々な機能が付いた製品も開発されており、例えば、複数のプレートはそれぞれ枢設されて折り畳むことにより小体積となる、収納しやすい台湾実用新案第Ｍ２９５４４１号の「ペットマット」や、制御装置によりマットを所定の温度に温める台湾実用新案第Ｍ５２２５５８号の「ペット用の暖房マット」、冷却や加熱が可能な金属モジュールを用いて温度を安定して調節できる台湾実用新案第Ｍ５２７２０８号の「可分離型温度制御システムを備えるマット」などを有する。
【考案の概要】
【考案が解決しようとする課題】
【０００４】
既存のペットマットは、所定の機能を備えるが、多様性及び多機能を有しないため、実用性に優れなく、また、市場競争が激しい現在、ペットマットの設計においては、競争力を強化して消費者に歓迎される製品を開発するために、多様性及び多機能性を具備させる必要があった。
【課題を解決するための手段】
【０００５】
本考案に係る多用途ペットマットは、
それぞれが隣接する複数の片部を含み、隣り合う２つの片部と隣接する箇所が湾曲可能である、本体と、
前記本体の輪郭に沿って取り付けられるエレメント及び、該エレメントに噛み合わされる少なくとも１つのスライダーを備える、ジッパー仕組みと、
前記本体に設置される、少なくとも１つの持ち手を有するものである。
【０００６】
かかる多用途ペットマットにおいて、
前記本体は、Ｔ字形の輪郭を有し、第一片部と、第二片部と、第三片部と、第四片部と、第五片部と、第六片部と、第七片部を含み、そのうち、第一片部は、矩形を呈し、該第二片部は、長矩形を呈し、第一片部の一側に隣接し、該第三片部は、第二片部の輪郭と同一の長矩形を呈し、該第二片部における、第一片部と反対する側に隣接し、該第四片部は、第一片部の輪郭と同一の矩形を呈し、第三片部における、第二片部と反対する側に隣接し、該第五片部は、矩形の輪郭を有し、第一片部における、第二片部と反対する側に隣接し、その幅は第一片部の幅よりも小さく、該第六片部及び第七片部は、同一の輪郭を備えるように、それぞれ第五片部の両側に延設されることが好ましい。
【０００７】
かかる多用途ペットマットにおいて、
前記第一片部の一面に表面が形成され、該表面に持ち手が設置されると共に、前記第四片部の一面に表面が形成され、該表面に持ち手が設置されることが好ましい。
【０００８】
かかる多用途ペットマットにおいて、
前記第一片部にある持ち手は、それぞれの末端が第五片部の側縁と接するように、第一片部に重なる２つの結合端部を備え、
前記第四片部にある持ち手は、それぞれの末端が第三片部と反対する側縁と接するように、第四片部に重なる２つの結合端部を備えることが好ましい。
【０００９】
かかる多用途ペットマットにおいて、
さらに、２つの磁性バックルを有し、該２つの磁性バックルはそれぞれ、オス部材及びメス部材を備え、そのうち、２つのオス部材は、第四片部の表面における、第三片部と反対する側且つ２つの隅角の近傍に設置され、２つのメス部材は、第一片部の表面における、第五片部と接近する側且つ２つの隅角の近傍に設置されることが好ましい。
【００１０】
かかる多用途ペットマットにおいて、
さらに、前記第一片部の表面及び第四片部の表面にそれぞれ、ポケットが設置されることが好ましい。
【００１１】
かかる多用途ペットマットにおいて、
前記第一片部にあるポケットは、第二片部に向かって開口が形成され、
前記第四片部にあるポケットは、第三片部に向かって開口が形成されることが好ましい。
【考案の効果】
【００１２】
本考案に係る多用途ペットマットは、本体における第一片部乃至第七片部を備えると共に、それらの片部が互いに隣接する箇所にそれぞれ折り目が形成されることから、それらの折り目により本体を様々な形状に折ることができ、例えば、ベッドや、バッグ、ソファーなどにすることができるので、多くの機能を具備している。故に、使用者がペットを連れて出かける時は、荷物をバッグにした多用途ペットマットに収納することができ、本体を展開すれば、ペットを座らせたり、寝かせたりして休憩ができるマットとすることができるので、実用性が非常に高い。また、ペットがマットに座ったり寝たりするときは、地面と接触しないので、ペットを清潔に維持できると共に、ノミやダニなどの外部寄生虫のペットへの寄生も予防でき、その上、本考案に係る多用途ペットマットは、冬は暖かく夏は涼しいとの特徴を有するので、体温調節の機能も備える。
【００１３】
本考案に係る多用途ペットマットは、本体の第一片部乃至第七片部をそれぞれの折り目に沿って折り畳めば、体積を小さくすることができるので、収納しやすく、更に、本考案に係る多用途ペットマットは、さまざまな形状に変化させることができることから、使用者の好みに合わせて、或いは必要に応じて自由自在に形状を変えることができるので、消費者に実用性に優れた製品を提供することができる。
【図面の簡単な説明】
【００１４】
【図１】本考案に係る多用途ペットマットをバッグの形状にした場合の斜視図である。
【図２】本考案に係る多用途ペットマットをマットの形状にした場合の斜視図である。
【図３】本考案に係る多用途ペットマットをベッドの形状にした場合の斜視図である。
【図４】本考案に係る多用途ペットマットをソファーの形状にした場合の斜視図である。
【図５】本考案に係る多用途ペットマットを折りたたんで収納した状態を示す斜視図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１及び図２に示すように、本考案の多用途ペットマットの実施例は、本体１０と、ジッパー仕組み２０と、２つの持ち手３０と、２つの磁性バックル４０と、２つのポケット５０を有し、そのうち、ジッパー仕組み２０、２つの持ち手３０、２つの磁性バックル４０、２つのポケット５０はそれぞれ、本体１０に設置される。
【００１７】
図２に示すように、前記本体１０は、展開状態がＴ字形を呈し、第一片部１１と、第二片部１２と、第三片部１３と、第四片部１４と、第五片部１５と、第六片部１６と、第七片部１７を含み、そのうち、第一片部１１は、矩形を呈し、表面及び裏面を備え、該第二片部１２は、長矩形を呈し、第一片部１１の一側に隣接し、その隣接箇所に湾曲可能な折り目が形成され、該第三片部１３は、第二片部１２の輪郭と同一の長矩形を呈し、該第二片部１２における、第一片部１１と反対する側に隣接し、その隣接箇所に湾曲可能な折り目が形成される。
【００１８】
前記第四片部１４は、第一片部１１の輪郭と同一の矩形を呈し、表面及び裏面を備え、第三片部１３における、第二片部１２と反対する側に隣接し、その隣接箇所に湾曲可能な折り目が形成され、前記第五片部１５は、矩形を呈し、第一片部１１における、第二片部１２と反対する側に隣接し、その隣接箇所に湾曲可能な折り目が形成され、また、該第五片部１５における短手方向の幅は、第一片部１１及び第四片部１４における短手方向の幅よりも小さく、前記第六片部１６及び第七片部１７は、同一の輪郭を備えるように、それぞれ第五片部１５の両側に延設され、それぞれの第五片部１５との隣接箇所に湾曲可能な折り目が形成され、該第六片部１６及び第七片部１７における短手方向の幅は、第五片部１５の短手方向の幅と同一である。
【００１９】
図２に示すように、前記ジッパー仕組み２０は、エレメント２１及び２つのスライダー２２を備え、該エレメント２１は、本体１０の輪郭に沿って本体１０に取り付けられ、該２つのスライダー２２はそれぞれ、エレメント２１に噛み合わされる。
【００２０】
図２に示すように、前記２つの持ち手３０は、対向するように第一片部１１の表面及び第四片部１４の表面に取り付けられ、そのうち、該第一片部１１にある持ち手３０は、２つの結合端部３１を備え、互いに間隔をおいて平行に配列されると共に、それぞれの末端が第五片部１５の側縁と接するように第一片部１１に重ねられ、該第四片部１４にある持ち手３０は、２つの結合端部３１を備え、互いに間隔をおいて平行に配列されると共に、それぞれの末端が第三片部１３と反対する側縁と接するように第四片部１４に重ねられる。尚、本実施例における持ち手３０の数量は、１つでもよく、２つでもよく、特に制限はない。
【００２１】
図２に示すように、前記２つの磁性バックル４０はそれぞれ、オス部材４１及びメス部材４２を備え、また、２つのオス部材４１は、第四片部１４の表面における、第三片部１３と反対する側且つ２つの隅角の近傍に設置され、前記２つのメス部材４２は、第一片部１１の表面における、第五片部１５と接近する側且つ２つの隅角の近傍に設置される。
【００２２】
図２に示すように、前記２つのポケット５０は、対向するように第一片部１１の表面及び第四片部１４の表面に取り付けられ、そのうち、前記第一片部１１にあるポケット５０は、その対応する持ち手３０の２つの結合端部３１との間に設置され、その開口５１が第二片部１２に向かって形成され、一方、前記第四片部１４にあるポケット５０は、その対応する持ち手３０の２つの結合端部３１との間に設置され、その開口５１が第三片部１３に向かって形成される。
【００２３】
図１及び図２に示すように、前記本体１０における第一片部１１乃至第七片部１７は、それぞれの隣接した箇所に湾曲可能な折り目が形成されることから、それらの折り目により第一片部１１の裏面が第四片部１４の裏面に面するように本体１０を折り込みながら、ジッパー仕組み２０の２つのスライダー２２を引き上げることにより、本体１０をバッグに変化させることができる。すなわち、本考案に係る多用途ペットマットは、平坦状である展開状態から本体１０を折り込んでジッパー仕組み２０により固定すれば、その内部に収納空間を有するバッグとすることができるので、使用者が小物や荷物を収納空間に収納することができる。
【００２４】
図１乃至図３に示すように、本考案に係る多用途ペットマットをベッドとして使用する場合は、その２つのスライダー２２を引き下げて、第二片部１２及び第三片部１３を第六片部１６及び第七片部１７から離脱させると共に、第四片部１４を第五片部１５と第六片部１６と第七片部１７から離脱させ、第一片部１１及び第四片部１４の裏面を上方に向かうように、第二片部１２と第三片部１３と第四片部１４を展開して平坦状にすると、本体１０をベッドの形状に変化させることができ、これにより、ベッド上でペットを座らせたり、寝かせて休憩させることができる。
【００２５】
図２及び図４に示すように、本考案に係る多用途ペットマットをソファーとして使用する場合は、図３に示す、第二片部１２及び第三片部１３をさらに折り返して、第四片部１４に第一片部１１を重ね、磁性バックル４０のオス部材４１をメス部材４２に吸着させることにより、第一片部１１及び第四片部１４を固定する。この時、第一片部１１は、第四片部１４に重なるように固定されることから、互いに畳まれた第一片部１１及び第四片部１４の厚みにより、ペットの座り心地がよくなる。尚、その第一片部１１にある持ち手３０と第四片部１４にある持ち手３０とは、外部に露出しないように、第一片部１１と第四片部１４との間に収納されることが好ましい。
【００２６】
図２及び図５に示すように、本考案に係る多用途ペットマットを折り畳んで収納する場合は、第六片部１６及び第七片部１７をそれぞれ、第五片部１５と接する折り目により第五片部１５に対して折り畳むと共に、第一片部１１と第二片部１２と接する折り目により、第二片部１２と第三片部１３と第四片部１４が第五片部１５に対して折り畳み、こうすることにより、本体１０の体積を小さくでき、収納しやすくなる。尚、本考案に係る多用途ペットマットは、上述した折り畳み方だけではなく、他の折り畳み方にしてもよく、体積を小さくできれば如何に折り畳んでもよい。
【００２７】
本考案に係る多用途ペットマットは、本体１０における第一片部１１乃至第七片部１７を備えると共に、それらの片部が互いに隣接する箇所にそれぞれ折り目が形成されることから、それらの折り目により本体１０を様々な形状に折ることができ、例えば、ベッドや、バッグ、ソファーなどにすることができるので、多くの機能を発揮できる。また、使用者がペットを連れて出かける時は、荷物をバッグに収納することができ、本体１０を展開すれば、ペットが座ったり寝たりして休憩することができるマットとなることから、実用性が非常に高い。また、ペットがマットに座ったり寝たりしたとき、地面と接触することはないので、ペットを清潔に保つことができると共に、ノミやダニなどの外部寄生虫のペットへの寄生も予防できる。さらに、本考案に係る多用途ペットマットは、冬は暖かくて夏は涼しいので、体温調節の機能も備える。
【００２８】
本考案に係る多用途ペットマットは、本体１０の第一片部１１乃至第七片部１７をそれぞれの折り目により折り畳んで、体積を小さくすることができるので、収納しやすく、且つ、さまざまな形状に変化させることができるので、消費者の好みの製品を提供することができる。
【符号の説明】
【００２９】
１０           本体
１１           第一片部
１２           第二片部
１３           第三片部
１４           第四片部
１５           第五片部
１６           第六片部
１７           第七片部
２０           ジッパー仕組み
２１           エレメント
２２           スライダー
３０           持ち手
３１           結合端部
４０           磁性バックル
４１           オス部材
４２           メス部材
５０           ポケット
５１           開口
【図１】
0003212956.tif 000003
【図２】
0003212956.tif 000004
【図３】
0003212956.tif 000005
【図４】
0003212956.tif 000006
【図５】
0003212956.tif 000007